【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
ファクシミリ通信を行なうための回線インターフェースを有するとともに、リモートホストコンピュータインターフェース、またはローカルホストコンピュータインターフェースを介してホストコンピュータと通信可能なファクシミリ装置において、
ファクシミリ通信に関する画像情報またはファクシミリ通信に関する通信管理情報を含むファクシミリデータを前記リモートホストコンピュータインターフェース、またはローカルホストコンピュータインターフェースを介して前記ホストコンピュータに転送するファクシミリデータ転送手段と、
前記リモートホストコンピュータインターフェース、およびローカルホストコンピュータインターフェースのうち、いずれのホストコンピュータインターフェースが接続されているかを認識するインターフェース認識手段と、
前記インターフェース認識手段により、リモートホストコンピュータインターフェースが接続されていると認識された場合、前記リモートホストコンピュータインターフェースを介して前記ファクシミリデータ転送手段が前記ファクシミリデータを転送すべきホストコンピュータの宛先を登録する転送宛先登録手段を有することを特徴とするファクシミリ装置。
【請求項２】
ユーザが前記ホストコンピュータのユーザインターフェースで行った操作に基づく前記リモートホストコンピュータインターフェースを介した通信により、前記転送宛先登録手段は、前記宛先を登録することを特徴とする請求項１に記載のファクシミリ装置。
【請求項３】
ユーザが前記ファクシミリ装置の操作部で行った操作に基づき、前記転送宛先登録手段は、前記宛先を登録することを特徴とする請求項１に記載のファクシミリ装置。
【請求項４】
前記インターフェース認識手段により、前記ローカルホストコンピュータインターフェースのみが接続されていると認識した場合、前記転送宛先登録手段は前記転送宛先登録の処理を禁止することを特徴とする請求項１に記載のファクシミリ装置。
【請求項５】
前記インターフェース認識手段により、前記リモートホストコンピュータインターフェースのみが接続されていると認識した場合、前記転送宛先登録手段は必ず前記転送宛先登録の処理を実行することを特徴とする請求項１に記載のファクシミリ装置。
【請求項６】
前記インターフェース認識手段により、ローカルホストコンピュータインターフェースおよびリモートホストコンピュータインターフェースの両方が接続されていると認識した場合、ローカルホストコンピュータインターフェースおよびリモートホストコンピュータインターフェースのいずれのホストコンピュータインターフェースを前記ファクシミリデータの転送に用いるかのホストコンピュータインターフェース優先順位を登録するホストコンピュータインターフェース優先順位登録手段を有することを特徴とする請求項１に記載のファクシミリ装置。
【請求項７】
前記インターフェース認識手段により、ローカルホストコンピュータインターフェースおよびリモートホストコンピュータインターフェースのいずれも接続されていないと認識した場合、前記転送宛先登録の処理の実行を禁止するとともに、ファクシミリデータの転送を禁止することを特徴とする請求項１に記載のファクシミリ装置。
【請求項８】
ファクシミリ通信を行なうための回線インターフェースを有するとともに、リモートホストコンピュータインターフェース、またはローカルホストコンピュータインターフェースを介してホストコンピュータと通信可能で、ファクシミリ通信に関する画像情報またはファクシミリ通信に関する通信管理情報を含むファクシミリデータを前記リモートホストコンピュータインターフェース、またはローカルホストコンピュータインターフェースを介して前記ホストコンピュータに転送するファクシミリ装置の制御方法において、
前記リモートホストコンピュータインターフェース、およびローカルホストコンピュータインターフェースのうち、いずれのホストコンピュータインターフェースが接続されているかを認識し、
前記インターフェース認識により、リモートホストコンピュータインターフェースが接続されていると認識された場合、前記リモートホストコンピュータインターフェースを介して前記ファクシミリデータを転送すべきホストコンピュータの宛先を登録することを特徴とするファクシミリ装置の制御方法。
【請求項９】
ユーザが前記ホストコンピュータのユーザインターフェースで行った操作に基づく前記リモートホストコンピュータインターフェースを介した通信により、前記転送宛先登録処理を行なうことを特徴とする請求項８に記載のファクシミリ装置の制御方法。
【請求項１０】
ユーザが前記ファクシミリ装置の操作部で行った操作に基づき、転送宛先登録処理を行なうことを特徴とする請求項８に記載のファクシミリ装置の制御方法。
【請求項１１】
前記インターフェース認識において、前記ローカルホストコンピュータインターフェースのみが接続されていると認識した場合、前記転送宛先登録の処理を禁止することを特徴とする請求項８に記載のファクシミリ装置の制御方法。
【請求項１２】
前記インターフェース認識において、前記リモートホストコンピュータインターフェースのみが接続されていると認識した場合、必ず前記転送宛先登録の処理を実行することを特徴とする請求項８に記載のファクシミリ装置の制御方法。
【請求項１３】
前記インターフェース認識において、ローカルホストコンピュータインターフェースおよびリモートホストコンピュータインターフェースの両方が接続されていると認識した場合、ローカルホストコンピュータインターフェースおよびリモートホストコンピュータインターフェースのいずれのホストコンピュータインターフェースを前記ファクシミリデータの転送に用いるかのホストコンピュータインターフェース優先順位を登録することを特徴とする請求項８に記載のファクシミリ装置の制御方法。
【請求項１４】
前記インターフェース認識において、ローカルホストコンピュータインターフェースおよびリモートホストコンピュータインターフェースのいずれも接続されていないと認識した場合、前記転送宛先登録の処理の実行を禁止するとともに、ファクシミリデータの転送を禁止することを特徴とする請求項８に記載のファクシミリ装置の制御方法。
【請求項１５】
ファクシミリ通信を行なうための回線インターフェースを有するとともに、リモートホストコンピュータインターフェース、またはローカルホストコンピュータインターフェースを介してホストコンピュータと通信可能で、ファクシミリ通信に関する画像情報またはファクシミリ通信に関する通信管理情報を含むファクシミリデータを前記リモートホストコンピュータインターフェース、またはローカルホストコンピュータインターフェースを介して前記ホストコンピュータに転送するファクシミリ装置の制御プログラムにおいて、
前記リモートホストコンピュータインターフェース、およびローカルホストコンピュータインターフェースのうち、いずれのホストコンピュータインターフェースが接続されているかを認識する制御ステップと、
前記インターフェース認識により、リモートホストコンピュータインターフェースが接続されていると認識された場合、前記リモートホストコンピュータインターフェースを介して前記ファクシミリデータを転送すべきホストコンピュータの宛先を登録する制御ステップをファクシミリ装置の制御部に実行させることを特徴とするファクシミリ装置の制御プログラム。
【請求項１６】
ユーザが前記ホストコンピュータのユーザインターフェースで行った操作に基づく前記リモートホストコンピュータインターフェースを介した通信により、前記転送宛先登録処理を行なう制御ステップをファクシミリ装置の制御部に実行させることを特徴とする請求項１５に記載のファクシミリ装置の制御プログラム。
【請求項１７】
ユーザが前記ファクシミリ装置の操作部で行った操作に基づき、転送宛先登録処理を行なう制御ステップをファクシミリ装置の制御部に実行させることを特徴とする請求項１５に記載のファクシミリ装置の制御プログラム。
【請求項１８】
前記インターフェース認識において、前記ローカルホストコンピュータインターフェースのみが接続されていると認識した場合、前記転送宛先登録の処理を禁止するための制御ステップをファクシミリ装置の制御部に実行させることを特徴とする請求項１５に記載のファクシミリ装置の制御プログラム。
【請求項１９】
前記インターフェース認識において、前記リモートホストコンピュータインターフェースのみが接続されていると認識した場合、必ず前記転送宛先登録の処理を実行するための制御ステップをファクシミリ装置の制御部に実行させることを特徴とする請求項１５に記載のファクシミリ装置の制御プログラム。
【請求項２０】
前記インターフェース認識において、ローカルホストコンピュータインターフェースおよびリモートホストコンピュータインターフェースの両方が接続されていると認識した場合、ローカルホストコンピュータインターフェースおよびリモートホストコンピュータインターフェースのいずれのホストコンピュータインターフェースを前記ファクシミリデータの転送に用いるかのホストコンピュータインターフェース優先順位を登録するための制御ステップをファクシミリ装置の制御部に実行させることを特徴とする請求項１５に記載のファクシミリ装置の制御プログラム。
【請求項２１】
前記インターフェース認識において、ローカルホストコンピュータインターフェースおよびリモートホストコンピュータインターフェースのいずれも接続されていないと認識した場合、前記転送宛先登録の処理の実行を禁止するとともに、ファクシミリデータの転送を禁止するための制御ステップをファクシミリ装置の制御部に実行させることを特徴とする請求項１５に記載のファクシミリ装置の制御プログラム。